(57)【要約】【課題】使用者の手をわずらわす必要なく室内の壁面やカーテン等の付着した臭気、ウイルス、かびなどの、脱臭や除菌をも行うことができる浄化装置を提供することを目的とするものである。【解決手段】放電電極２１と、対向電極３１と、前記電極間に高電圧を印加する高電圧印加装置４と、前記放電電極２１および／または対向電極３１に無給水で水を発生させる水発生手段５と、前記水発生手段５に設けられたヒートシンク６と、前記放電電極の周囲の少なくとも一部に配設された壁部１２とを備えたもので、使用者の手をわずらわすことなく、無給水で、電極間に発生させた水と放電を利用し、放電領域でラジカルやイオン等、およびそれらを含んだ微細な水粒子を多量に生成し、前記放電領域下流に放出させさせることができる。【選択図】図１
2006026459.tif 000002
【特許請求の範囲】
【請求項１】
放電電極と、対向電極と、前記電極間に高電圧を印加する高電圧印加装置と、前記放電電極および／または対向電極に無給水で水を発生させる水発生手段と、前記水発生手段に設けられたヒートシンクと、前記放電電極の周囲の少なくとも一部に配設された壁部とを備えた浄化装置。
【請求項２】
壁部に開口部を設けた請求項１記載の浄化装置。
【請求項３】
壁部に帯電処理を施した請求項１または２記載の浄化装置。
【発明の詳細な説明】
【技術分野】
【０００１】
本発明は、気体、液体、固体などの浄化装置に関するものである。
【背景技術】
【０００２】
従来、イオンやオゾン等の活性粒子を利用して、食品・調理用品などの食に関連する物体や公衆衛生上で微生物が問題となる物体の表面、これらの物体を収納する空間に存在する微生物の繁殖を防止する方法が知られている。
【０００３】
例えば、空気などの気体を電離室に導いてイオン化およびオゾン化させる際の放電電流を制御することにより、所定の低濃度のオゾンと高濃度のイオンを含む気体を発生させ、前記電離室あるいはそれに連通する空間内で、あるいは電離室で発生した気体を物体に吹き付けることによって、オゾンとイオンとの相乗効果で微生物の繁殖を防止するようにした微生物繁殖防止方法および装置がある（たとえば特許文献１参照）。
【０００４】
また、水タンクに水道水を供給させ、供給された水に吸水性の電極を浸すことにより、この水と電極と対向電極間の放電とを利用し、放電領域でより長寿命な酸化力の高いラジカルやイオン等、およびそれらを含んだ微細な水粒子を生成し、放電領域下流に放出させ、放出された領域を殺菌、脱臭、有害物質除去する放電霧化技術応用浄化装置がある。
【特許文献１】特開平９−１０８３１３号公報
【発明の開示】
【発明が解決しようとする課題】
【０００５】
しかしながら、上記した従来の微生物繁殖防止方法および装置は、物体の表面や収納空間に存在する微生物を処理対象とするものであるが、生成されたイオン等は非常に不安定なため、イオンとしての寿命が非常に短く、物体に吹き付けるまえに安定な物質に変化してしまい、十分に微生物の繁殖を防止することができない、という問題があった。
【０００６】
また、上記した従来の放電霧化技術応用浄化装置は、水を供給させなくてはならず、水がなくなれば供給、給水しなくてはならないとういう、使用者の手をわずらわす必要があった。
【０００７】
本発明は上記問題を解決するもので、放電電極と対向電極のどちらかまたは両方を水発生手段やヒートシンク、さらには防風壁でより効率よく露点以下の温度にすることにより、無給水で水を発生させ、電極間に発生させた水と放電を利用し、放電領域でより長寿命な酸化力の高いラジカルやイオン等、およびそれらを含んだ微細な水粒子を多量に生成し、放電領域下流に多量に放出させ、放出された領域を殺菌、脱臭、有害物質除去する浄化装置を提供する。
【０００８】
すなわち、使用者の手をわずらわす必要なく室内の壁面やカーテン等の付着した臭気、ウイルス、かびなどの、脱臭や除菌をも行うことができる浄化装置を提供することを目的とするものである。
【課題を解決するための手段】
【０００９】
上記課題を解決するために、本発明の浄化装置は、放電電極と、対向電極と、前記電極間に高電圧を印加する高電圧印加装置と、前記放電電極および／または対向電極に無給水で水を発生させる水発生手段と、前記水発生手段に設けられたヒートシンクと、前記放電電極の周囲の少なくとも一部に配設された壁部とを備えたもので、使用者の手をわずらわ
すことなく、無給水で、電極間に発生させた水と放電を利用し、放電領域でラジカルやイオン等、およびそれらを含んだ微細な水粒子を多量に生成し、前記放電領域下流に放出させさせることができる。
【発明の効果】
【００１０】
以上のように本発明によれば、使用者の手をわずらわす必要なく室内の壁面やカーテン等の付着した臭気、ウイルス、かびなどの、脱臭や除菌をも行うことができる浄化装置を提供できる。
【発明を実施するための最良の形態】
【００１１】
第１の発明は、放電電極と、対向電極と、前記電極間に高電圧を印加する高電圧印加装置と、前記放電電極および／または対向電極に無給水で水を発生させる水発生手段と、前記水発生手段に設けられたヒートシンクと、前記放電電極の周囲の少なくとも一部に配設された壁部とを備えたもので、使用者の手をわずらわすことなく、無給水で、電極間に発生させた水と放電を利用し、放電領域でラジカルやイオン等、およびそれらを含んだ微細な水粒子を多量に生成し、前記放電領域下流に放出させさせることができる。
【００１２】
第２の発明は、壁部に開口部を設けたもので、対向電極の開放部に向かって、イオン風が効率よく発生し、より多量に放電領域でラジカルやイオン等、およびそれらを含んだ微細な水粒子を生成および発生し、前記放電領域下流に多量に放出させさせることができる。
【００１３】
第３の発明は、壁部に帯電処理を施したもので、壁部に付着する微細な水粒子を抑制することができ、より多量に放電領域でラジカルやイオン等、およびそれらを含んだ微細な水粒子を生成および発生し、前記放電領域下流にさらに多量に放出させることができる。また、防風壁の形状を円、楕円形、翼形などのように構成する。これにより浄化ユニット通過気流などを効率よく通過させることができる。
【００１４】
以下、本発明の実施の形態について、図面を参照しながら説明する。なお、この実施の形態によって本発明が限定されるものではない。
【００１５】
（実施の形態１）
以下、本発明の第１の実施の形態について図面を参照しながら説明する。
【００１６】
図１および図２は、本発明の一実施形態における浄化装置の概略図および断面図である。なお、以下では空気などの気体について説明するが、固体でも同様である。
【００１７】
浄化ユニット１は、気体の流路内に配置されるものであり、放電電極２１が配置され、放電電極２１の対向に対向電極３１が配置されていて、放電電極２１と対向電極３１との間に形成される放電領域９が構成されている。７は浄化ユニット上流気流、８は浄化ユニット下流気流を示す。
【００１８】
高電圧印加装置４は、放電電極２１に接続する電極（プラスまたはマイナス）４１と、対向電極３１に接続するアース電極４２とを有し、放電電極２１と対向電極３１との間に、放電を発生させ得る高電圧を印加するように構成されている。この高電圧印加装置４としては、高圧トランスで昇圧するようにした電装回路などが使用される。しかし所望の高電圧を印加できるものであれば、これに限定されず使用可能である。
【００１９】
水発生手段５は、例えばペルチェ素子など無給水で水を発生させるのもであり、放電電極２１に密着させ設けておく。これにより、放電電極２１が露点以下の温度になると放電
電極２１の表面に結露水１０が発生する。例えば、温度が２２℃で湿度が３０％のとき、放電電極２１が露点すなわち３．６℃以下の温度になると放電電極２１の表面に結露水１０が発生する。なお、ペルチェ素子を対向電極３１に密着させ設けておいてもかまわない。
【００２０】
さらに、ヒートシンク６は、水発生手段５に密着させ設けておく。例えば水発生手段５をペルチェ素子とすると、一方が冷却面であれば他方は放熱面になり、この放熱面に、ヒートシンク６を密着することにより効率よく放電電極２１が露点以下の温度になる。
【００２１】
１２は放電電極２１の周囲を囲むように配設した防風壁である。防風壁１２があることにより、放電電極２１の周囲の環境が限定される。すなわち、浄化ユニット上流７からの気流の温度が高くても、防風壁１２があることにより、放電電極２１が水発生手段５、たとえばペルチェ素子で冷却されると、周囲環境も冷却され、効率よく放電電極２１が露点以下の温度になる。
【００２２】
以下、上記構成における作用を説明する。
【００２３】
高電圧印加装置４によって放電電極２１と対向電極３１との間に高電圧を印加するとともに、水発生手段９により放電電極２１に結露水１０を発生させる。これにより電極間に発生させた放電と結露水１０を利用し、さらに防風壁１２の効果により、放電領域９でラジカルやイオン等、およびそれらを含んだ微細な水粒子１１を多量に生成し、放電領域下流すなわち、浄化ユニット下流８に放出させることができる。
【００２４】
簡略化すると例えば
【００２５】
【化１】
2006026459.tif 000003
【００２６】
の反応がおこり、放電領域９の下流に、ＯＨラジカルやイオン、Ｈ2Ｏ2ラジカルやイオン等、酸化力の高いラジカルやイオン等、およびそれらを含んだ水粒子１１を豊富に生成することができる。
【００２７】
この生成されたラジカルやイオン等、およびそれらを含んだ水粒子１１は酸化力が高く、微生物の外壁やタンパク質を破壊することができ、微生物は殺滅または不活化される。すなわち、生成されたＯＨラジカルやイオン、Ｈ２Ｏ２ラジカルやイオン等、酸化力の高いラジカルやイオン等、およびそれらを含んだ水粒子１１を放電領域９の下流に放出させることにより、放出された領域を殺菌、脱臭、有害物質除去することができ、浄化される。
【００２８】
印加すべき高電圧は、効率よく放電を発生させ得る高電圧であり、放電電極２１と対向電極３１との間隙の大きさ、放電領域の温度湿度環境によっても異なるが、たとえば放電電極２１と対向電極３１との間隙が約４ｍｍで、温度が２２℃、湿度が４０％の時には、約４ｋＶ以上の高電圧が必要である。
【００２９】
また負の高電圧を印加することによって、放電領域９でマイナスイオンを生成することができ、下流気流７としてマイナスイオンを含んだきれいな空気を供給して、リラックスできる雰囲気を提供することが可能となる。
【００３０】
図３は、防風壁１２に開口部を設けた開口部付防風壁１２１のときの概略図である。図４は、防風壁１２のとき、すなわち開口部を設けていないときの、ユニット内気流１３を含めた断面図である。図５は、防風壁１２に開口部を設けた開口部付防風壁１２１のときのユニット内気流１４を含めた断面図である。
【００３１】
図４のユニット内気流１３と、図５のユニット内気流１４とに示すように、開口部付防風壁１２１にすることにより、対向電極３１の開放部に向かって、イオン風が効率よく発生することができる。したがって、より多量に放電領域９でラジカルやイオン等、およびそれらを含んだ微細な水粒子を生成および発生させることができる。
【００３２】
なお、開口部付防風壁１２１の開口部については、上記のように放電によるイオン風の影響が考慮でき、より多量にラジカルやイオン等、およびそれらを含んだ微細な水粒子を生成および発生させることができるものであれば、例えば、円形の開口部などその形状や個数についてはなんら限定しない。
【００３３】
また、防風壁１２に、例えば帯電防止剤の塗布や、帯電防止シートを設けるなど、帯電処理を行うように構成する。酸化力の高い水粒子１１は放電電極２１がマイナスであれば、マイナスに帯電されている。したがって、防風壁１２に帯電処理を行うことにより、防風壁１２が帯電することにより、酸化力の高い水粒子１１はクーロン力により引っ張られ、防風壁１２に付着してしまい、より多量に生成、発生させることができなくなることを抑制することができる。
【００３４】
図６は、防風壁の形状を円、楕円形、翼形などのように構成したの概略図である。防風壁の形状を開口部付円形防風壁１２２のように円、楕円形、翼形などのように構成する。これにより浄化ユニット通過気流などを効率よく通過させることができる。
なお、浄化ユニット通過気流などを効率よく通過させることができる形状であれば、なんら限定しない。
【００３５】
なお、本浄化装置を、例えば風量の大きい空気清浄機や空気調和機に搭載すると、さらに浄化性能を向上させることができる。
【図面の簡単な説明】
【００３６】
【図１】本発明の一実施形態における浄化装置の概略図
【図２】図１の浄化装置の側断面図
【図３】本発明の一実施形態における他の浄化装置の概略図
【図４】同壁部に開口部を設けていないときのユニット内気流を含めた浄化装置の側断面図
【図５】同壁部に開口部を設けたときのユニット内気流を含めた浄化装置の側断面図
【図６】同他の浄化装置の概略図
【符号の説明】
【００３７】
４  高電圧印加装置
５  水発生手段
６  ヒートシンク
１２  防風壁（壁部）
２１  放電電極
３１  対向電極
【図１】
2006026459.tif 000004
【図２】
2006026459.tif 000005
【図３】
2006026459.tif 000006
【図４】
2006026459.tif 000007
【図５】
2006026459.tif 000008
【図６】
2006026459.tif 000009